(57)【要約】  【課題】被取付部の板厚に左右されず、板厚毎の専用部品を必要とせず、１種類の取付金具で取り付けが可能であるリーダライタユニットを提供する。  【解決手段】取り付けた際、筐体外部Ｏに位置するＩＣカードかざし部２１と、筐体内部Ｉに突出する凸部２２とを有し、かつ凸部２２の左右側面と上面との３箇所に共通するスリット２３を複数形成したリーダライタユニット本体２０と、複数のスリット２３の内１つのスリットに挿し込み可能で、筐体１０の板厚の変化に挿し込むスリットを変えることで対応可能であって、ネジ４０を締め込むことができるネジ取付部３２を備えたロックプレート３０とを含み、かざし部２１とロックプレート３０とで筐体１０の被取付部を挟み込み、さらにネジ４０で締め付けて固定する取付構造を有し、ネジ取付部３２は、ロックプレート３０をスリット２３に挿し込んだ際にかざし部２１の外形よりも内側に位置するようにした。【選択図】図１
2011128875.tif 000002
【特許請求の範囲】
【請求項１】
被取付部となる正面に角穴である取付穴を設けた筐体に取り付けた際に筐体の外部に位置するＩＣカードかざし部と、前記取付穴から挿入され取り付けた際に筐体内部に突出する凸部とを有し、かつ該凸部の左右側面と上面との３箇所に共通するスリットを複数形成したリーダライタユニット本体と、
前記複数のスリットの内、１つのスリットに挿し込み可能であり、ネジを締め込むことができるネジ取付部を備えたロックプレートと、
該ネジ取付部に締め込むネジとを含み、
前記かざし部と前記ロックプレートとで筐体の被取付部を挟み込み、さらに前記ネジで締め付けて固定する取付構造を有し、
前記ロックプレートは、被取付部の板厚の変化に、挿し込むスリットを変えることで対応可能であって、
前記ネジ取付部は、前記ロックプレートを前記スリットに挿し込んだ際に前記かざし部の外形よりも内側に位置することを特徴とするリーダライタユニット。
【請求項２】
前記ロックプレートは、前記スリットの上方から挿し込むことができることを特徴とする請求項１に記載のリーダライタユニット。
【請求項３】
前記ロックプレートに備えられたネジ取付部に使用するネジは、先尖り形状のネジが使用可能であることを特徴とする請求項１または請求項２に記載のリーダライタユニット。
【請求項４】
前記ロックプレートは、両端に折り曲げ部を備え、
表裏を返すことで、被取付部の板厚の変化に対応可能であることを特徴とする請求項１乃至請求項３のいずれかに記載のリーダライタユニット。
【発明の詳細な説明】
【技術分野】
【０００１】
この発明は、電子マネー処理装置等のリーダライタユニットであって、自動販売機等の筐体への取り付けに関し、特に、被取付部の厚みが異なっても、部品の追加等なしで同じ取付金具にて固定が可能な取付構造を有するリーダライタユニットに関する。
【背景技術】
【０００２】
近年、電子マネー処理装置等のリーダライタユニットの普及に伴って、電子マネーで商品を購入できる自動販売機が増え、自動販売機等の無人機へのリーダライタユニットの取り付けも増えてきている。
【０００３】
これまでの電子マネー処理装置の自動販売機への取り付けは飲料用自動販売機等への取り付けが主であり、この電子マネー処理装置を搭載する自動販売機の筐体は、電子マネー処理装置を搭載しない従来の自動販売機と同様に板厚０．８〜１．６ｍｍ程度の板金製である。
【０００４】
この取り付けの対象となりうる自動販売機は、飲料用自動販売機に限るものではなく、その取り付け部分の構造は多々あり、取り付け部分の厚みに関しても薄いものから厚いものまで存在する。
【０００５】
さらに、近年では、自動販売機の筐体の正面を板金のみで作るのではなく、木材合板や樹脂製等のパネル等で装飾したり、防犯を目的として自動販売機正面裏側に板金を追加して強度を強化する（自動販売機正面の板厚を１枚の板金のみから形成される場合に比べ厚くする（例えば３ｍｍ程度になるまで厚くする））ことがあり、これらの需要は高まってきている。
【０００６】
今後、電子マネー処理装置の多種多様なロケーションへの設置が進んでいった場合、例えば木材合板などの様な１０〜２０ｍｍ程度の厚みを有するパネルを正面に取り付けた自動販売機への取り付けも実施されると予測できる。
【発明の概要】
【発明が解決しようとする課題】
【０００７】
ところで、従来のリーダライタユニットは、図１７および図１８に示すように、取付対象である筐体１１０の正面に取付穴（角穴）１１１を設け、該取付穴１１１からリーダライタユニット１２０を筐体外部Ｏ’側から挿入し、該リーダライタユニット１２０と、筐体内部Ｉ’側の面に固着された取付ステー１１２とを、取付板１３０を介して、筐体内部Ｉ’側からユニット固定ネジ１４０および取付ステー固定ネジ１５０にて螺着して取り付けるものである。
【０００８】
しかしながら、筐体１１０の板厚は、自動販売機によって異なるため、上記従来のリーダライタユニットの取付構造では、筐体１１０の板厚に適合した取付ステー１１２を筐体１１０の板厚毎に用意する必要があった。
【０００９】
この取付構造では筐体１１０の板厚に適合した取付ステー１１２を筐体１１０の板厚毎に用意する分、経済的に不利であり、電子マネーが使用可能な自動販売機の展開に障害となっていた。
【００１０】
そこで、本発明は、上記の問題点を解決し、被取付部の板厚に左右されずに、板厚毎の専用部品を必要とせず、１種類の取付金具で、厚み違いの被取付部に対しても取り付け可能な取付構造を有するリーダライタユニットを提供することを目的とする。
【課題を解決するための手段】
【００１１】
上述した課題を解決するため、この発明では、
被取付部となる正面に角穴である取付穴を設けた筐体に取り付けた際に筐体の外部に位置するＩＣカードかざし部と、前記取付穴から挿入され取り付けた際に筐体内部に突出する凸部とを有し、かつ該凸部の左右側面と上面との３箇所に共通するスリットを複数形成したリーダライタユニット本体と、
前記複数のスリットの内、１つのスリットに挿し込み可能であって、ネジを締め込むことができるネジ取付部を備えたロックプレートと、
該ネジ取付部に締め込むネジとを含み、
前記かざし部と前記ロックプレートとで筐体の被取付部を挟み込み、さらに前記ネジで締め付けて固定する取付構造を有し、
前記ロックプレートは、被取付部の板厚の変化に、挿し込むスリットを変えることで対応可能であって、
前記ネジ取付部は、前記ロックプレートを前記スリットに挿し込んだ際に前記かざし部の外形よりも内側に位置するようにしている。
【発明の効果】
【００１２】
本発明のリーダライタユニットは、被取付部となる筐体の板厚に左右されず、板厚毎の専用部品を必要とせずに１種類の取付金具で、多様な厚み違いの被取付部に対しても取り付けが可能である。
【００１３】
以って、電子マネーが使用可能な自動販売機の種類を増やすことができ、自動販売機産業の発展を図ることができて、利便性の高い社会の構築に寄与するものである。
【図面の簡単な説明】
【００１４】
【図１】図１はこの発明に係わるリーダライタユニット取付部の分解斜視図。
【図２】図２は図１に示すＸ部分の拡大図。
【図３】図３は筐体の板厚が１ｍｍである場合のロックプレートの取付動作を示す斜視図。
【図４】図４は筐体の板厚が１ｍｍである場合のロックプレートの固定動作を示す斜視図。
【図５】図５は筐体の板厚が１ｍｍである場合の取付状態を示す斜視図。
【図６】図６は筐体の板厚が３ｍｍである場合のロックプレートの取付動作を示す斜視図。
【図７】図７は筐体の板厚が３ｍｍである場合のロックプレートの固定動作を示す斜視図。
【図８】図８は筐体の板厚が３ｍｍである場合の取付状態を示す斜視図。
【図９】図９は筐体の板厚が０．５ｍｍで、筐体外部側から１番目のスリットにロックプレートを表向きで挿し込んだ場合の取付状態を示す上面図。
【図１０】図１０は筐体の板厚が２．５ｍｍで、筐体外部側から１番目のスリットにロックプレートを表向きで挿し込んだ場合の取付状態を示す上面図。
【図１１】図１１は筐体の板厚が２．５ｍｍで、筐体外部側から１番目のスリットにロックプレートを裏向きで挿し込んだ場合の取付状態を示す上面図。
【図１２】図１２は筐体の板厚が４．５ｍｍで、筐体外部側から１番目のスリットにロックプレートを裏向きで挿し込んだ場合の取付状態を示す上面図。
【図１３】図１３は筐体の板厚が４．５ｍｍで、筐体外部側から２番目のスリットにロックプレートを表向きで挿し込んだ場合の取付状態を示す上面図。
【図１４】図１４は筐体の板厚が６．５ｍｍで、筐体外部側から２番目のスリットにロックプレートを表向きで挿し込んだ場合の取付状態を示す上面図。
【図１５】図１５は筐体の板厚が６．５ｍｍで、筐体外部側から２番目のスリットにロックプレートを裏向きで挿し込んだ場合の取付状態を示す上面図。
【図１６】図１６は筐体の板厚が８．５ｍｍで、筐体外部側から２番目のスリットにロックプレートを裏向きで挿し込んだ場合の取付状態を示す上面図。
【図１７】図１７は従来のリーダライタユニット取付部の分解斜視図。
【図１８】図１８は従来のリーダライタユニットの取付状態を示す斜視図。
【発明を実施するための形態】
【００１５】
以下、本発明のリーダライタユニット１を詳述する。
図１は、本発明におけるリーダライタユニット１の取り付けを示す分解斜視図であり、図２は図１に示すＸ部の拡大図である。
【００１６】
図１に示すように、このリーダライタユニット１の取付部は、取付対象となる筐体１０の正面側と、ＩＣカードかざし部２１を有するリーダライタユニット本体２０と、板金で形成されたコの字形状のロックプレート３０および４本のネジ４０とから構成されている。
なお、かざし部２１は正面側の面にＩＣカードかざし面を有し、筐体外部Ｏ側に配置されるものである。また、リーダライタユニット本体２０は、筐体内部Ｉに配設される図示せぬ制御部と有線または無線にて機能的に接続されるものである。
【００１７】
図１において、筐体１０の正面には、リーダライタユニット本体２０を取り付けるための取付穴（角穴）１１が形成されている。
【００１８】
また、リーダライタユニット本体２０は、その後方に、取付対象となる筐体１０内部Ｉに入り込む凸部２２を有しており、リーダライタユニット本体２０を筐体１０に取り付ける際に、凸部２２を取付穴１１に筐体外部Ｏ側から挿入した時（図１矢印Ａ）、筐体内部Ｉに凸部２２が突出するようにしている（図３参照）。
【００１９】
さらに、凸部２２の左右側面および上面の３箇所に、該３箇所に共通する複数のスリット２３が形成されている。該複数のスリット２３のいずれにも同様に、ロックプレート３０を挿し込むことができるように、各スリット２３のスリット幅および溝深さはそれぞれ互いに等しく形成されている。
なお、図２に示すように、スリット２３の内、各々のスリットの符号は、筐体外部Ｏ側から筐体内部Ｉに向かって順に、２３１、２３２、２３３、２３４、２３５としている。
【００２０】
一方、ロックプレート３０は、複数のスリット２３の内、１つのスリット２３に挿し込み可能（スライド可能）になるよう、その板厚は、スリット２３の凹幅と同等か若干薄く形成されている。ロックプレート３０は板金だが、その強度を保つために、左右それぞれの辺に折り曲げ部３１を形成している。なお、さらに強度を向上させるために、上辺にも折り曲げ部を形成してもよい。
【００２１】
また、ロックプレート３０は、ネジを締め込むことができるネジ取付部３２を備えており、該ネジ取付部３２は、ロックプレート３０に形成された穴と、ロックプレート３０の図１における筐体外部Ｏ側の面に形成された凸部３２Ｗとを有する（図９等参照）。凸部３２Ｗはめねじが形成された溶接スタッドから構成され、前記穴と凸部３２Ｗの内面とは位置決め合致されるものである。
【００２２】
このネジ取付部３２は、ロックプレート３０をスリット２３に挿し込んだ際（図１矢印Ｂ）、筐体外部Ｏとなる部分であるリーダライタユニット本体２０のかざし部２１の外形よりも内側２１Ｓに位置するように形成される。
【００２３】
これにより、ネジ４０を締め込んだ際に（図１矢印Ｃ）、ロックプレート３０がリーダライタユニット本体２０を筐体内部１０Ｉ方向へ押し、ネジ４０の先端が筐体１０をかざし部２１の方向に押すことで、ネジ４０とかざし部２１とで筐体１０の被取付部を挟み込むようにしている。
そして、ネジ４０をさらに締め込むと、筐体１０の被取付部を挟み込む強度を向上させることができる。この際、ネジ取付部３２がかざし部２１の外形よりも内側２１Ｓに位置し、ネジ４０の先端は筐体１０を介してかざし部２１の背面に係合するので、ネジ４０の先端が筐体１０の一部を変形させて、外観を損ねることはない。
【００２４】
なお、ネジ取付部３２は、図１においては４箇所形成されているが、強度を向上させるために、５箇所以上形成してもよい。
【００２５】
また、ネジ４０は、その先端形状に制限はないが、先尖り形状のネジであると、先尖り形状でないネジで固定する場合に比べ、ネジ４０を締め付けた際にその先端が筐体１０を介してかざし部２１の背面に係合しやすく、より強固に固定することが可能である。
【００２６】
次に、上述したリーダライタユニット１の取付例を説明する。
なお、本例では、スリット２３のピッチを４ｍｍ、スリット幅を２ｍｍとし、スリット５本としたものとする。また、ネジ取付部３２の凸部３２Ｗ（図９等参照）の厚みは２ｍｍとする。
【００２７】
図３、図４および図５は、筐体１０の板厚が１ｍｍである場合の取付方法および取付状態を示している。
まず、図１の矢印Ａの方向で示すように、筐体外部Ｏ側からリーダライタユニット本体２０の凸部２２を、筐体１０の取付穴１１に挿入し、図３に示すように、筐体外部Ｏとなる部分であるリーダライタユニット本体２０のかざし部２１の背面を筐体外部Ｏ側の面に完全に密着させた状態で、矢印Ｂの方向で示すように、ロックプレート３０を、ネジ取付部３２の凸部３２Ｗ（図９等参照）が形成されている面が筐体外部Ｏ方向を向くように（表向き）、筐体１０に最も近いスリット２３１に鉛直上方から挿し込む。
【００２８】
そして、図４に示すように、ロックプレート３０上部の縁３３がスリット２３１の上面に挿入されるまで押し込む。
【００２９】
ここで、ロックプレート３０をスリット２３１に挿し込んだだけでは、まだ取り付けにガタが残っているため、図４の矢印Ｃの方向で示すように、ロックプレート３０のネジ取付部３２にネジ４０を締め付け、図５に示すように、筐体１０へのガタの無いように固定する。
【００３０】
このように、リーダライタユニット本体２０のかざし部２１を筐体外部Ｏ側に配置し、筐体内部Ｉ側からロックプレート３０とネジ４０にて筐体１０の被取付部を挟み込むように取り付けを行う。
【００３１】
ところで、本発明のリーダライタユニットにおいては、筐体１０の板厚に応じて、ロックプレート３０を挿し込む際のロックプレート３０の表裏向きを選択的に行って取り付けることができる。
【００３２】
上述した取付例においては、ロックプレート３０を、ネジ取付部３２の凸部３２Ｗ（図９等参照）が形成されている面が筐体外部Ｏ方向を向くよう（表向き）に取り付けたが、ネジ取付部３２の凸部３２Ｗ（図９等参照）が形成されている面が筐体内部Ｉ方向を向くよう（裏向き）に取り付ける場合の取付手順について説明する。
【００３３】
図６、図７および図８は、筐体１０の板厚が３ｍｍである場合の取付方法および取付状態を示している。
まず、筐体１０の板厚が１ｍｍの場合と同様に、図１の矢印Ａの方向に示すように、筐体外部Ｏ側からリーダライタユニット本体２０の凸部２２を、筐体１０の取付穴１１に挿入し、図６に示すように、筐体外部１０Ｏとなる部分であるリーダライタユニット本体２０のかざし部２１の背面を筐体外部１０Ｏ側の面に完全に密着させた状態で、矢印Ｂの方向で示すように、ロックプレート３０を、ネジ取付部３２の凸部３２Ｗ（図９等参照）が形成されている面が筐体内部Ｉの方向を向くように（裏向き）、筐体１０に最も近いスリット２３１に鉛直上方から挿し込む。
【００３４】
そして、図７に示すように、ロックプレート３０の上部の縁３３がスリット２３１の上面に挿入されるまで押し込む。
【００３５】
ここで、ロックプレート３０をスリット２３１に挿し込んだだけでは、まだ取り付けにガタが残っているため、図７の矢印Ｃの方向に示すように、ロックプレート３０のネジ取付部３２にネジ４０を締め付け、図８に示すように、筐体１０へのガタの無いように固定する。
【００３６】
このように、ネジ取付部３２の凸部３２Ｗ（図９等参照）の厚み（２ｍｍ）分、ロックプレート３０をネジ取付部３２の凸部３２Ｗが形成されている面が筐体外部Ｏ側を向くように挿し込むよりも、板厚の厚い筐体１０に対応できる。
【００３７】
上述した２つの取付例では、ロックプレート３０を筐体１０に最も近いスリット２３１に挿し込んだが、さらに厚い板厚の筐体１０の場合は、スリット２３２、スリット２３３、スリット２３４、スリット２３５等（図２参照）、筐体内部Ｉ側に位置するスリット２３を使用することで対応できる。
【００３８】
次に、筐体１０の板厚毎の調整可能範囲について説明する。
上述した通り、本発明のリーダライタユニット１においては、ロックプレート３０を挿し込むスリット２３と、ロックプレート３０を挿し込む際のロックプレート３０の向きとを選択的に行って取り付け、筐体１０の板厚に対応する。
【００３９】
図９〜図１６は、上記取付例と同様に、スリット２３のピッチが４ｍｍ、スリット幅が２ｍｍとし、ネジ取付部３２の凸部３２Ｗの厚みが２ｍｍである場合の、筐体１０の板厚毎の取付状態を示したリーダライタユニット１の上面図である。
【００４０】
図９および図１０に示すように、筐体１０の板厚が０．５〜２．５ｍｍの範囲の場合は、ロックプレート３０をスリット２３１に、表向きに取り付ける。
【００４１】
図１１および図１２に示すように、筐体１０の板厚が２．５〜４．５ｍｍの範囲の場合は、ロックプレート３０をスリット２３１に、裏向きに取り付ける。
【００４２】
図１３および図１４に示すように、筐体１０の板厚が４．５〜６．５ｍｍの範囲の場合は、ロックプレート３０をスリット２３２に、表向きに取り付ける。
【００４３】
図１５および図１６に示すように、筐体１０の板厚が６．５〜８．５ｍｍの範囲の場合は、ロックプレート３０をスリット２３２に、裏向きに取り付ける。
【００４４】
図９および図１３、図１０および図１４、図１１および図１５、図１２および図１６に示すように、スリット２３のピッチが４ｍｍであるから、ロックプレート３０の挿し込む向きを変えずに、ロックプレート３０を挿し込むスリット２３を、スリット２３１からスリット２３２に変更すると、変更前よりも４ｍｍ厚い筐体１０に対応することができる。
【００４５】
また、図９および図１１、図１０および図１２、図１３および図１５、図１４および図１６に示すように、の凸部３２Ｗの厚みが２ｍｍであるから、ロックプレート３０を挿し込むスリット２３を変えずに、ロックプレート３０を挿し込む向きを表向きから裏向きに変更すると、変更前より２ｍｍ厚い筐体１０に対応することができる。
【００４６】
このように、ロックプレート３０を筐体１０の厚みに合わせた位置のスリット２３に挿し込むことで、４ｍｍ毎の調節を可能にしている。そして、スリットとスリットの中間位置については、ロックプレート３０を表裏逆に挿し込むことで、２ｍｍ毎の調節を可能にしている。
【００４７】
さらに、図９および図１０、図１１および図１２、図１３および図１４、図１５および図１６に示すように、同様のスリット２３の位置、ロックプレート３０の向きの範囲内、すなわち２ｍｍ分は、ネジの４０の締め込み量で調整することができる。
【００４８】
なお、図９〜図１６に示すリーダライタユニット本体２０は、５本のスリット２３を有するものであるが、スリット２３の数を増やすことで、取付対象となる筐体１０の厚み許容値を増やすことが可能である。
【００４９】
例えば、スリット２３のピッチが４ｍｍ、スリット幅が２ｍｍの場合、スリット３本で筐体１０の板厚０．５〜１０．５ｍｍ（ネジ４０の締め込み量の調節にて約１２．５ｍｍ程度まで）に対応可能であり、図１〜図１６に示すスリット５本で筐体１０の板厚０．５〜１８．５ｍｍ（ネジ４０の締め込み量の調節にて約２０．５ｍｍ程度まで）に対応可能である。
【００５０】
以上のように、本発明のリーダライタユニット１は、筐体１０の被取付部の板厚に左右されず、１枚のロックプレート３０、すなわち１種類の取付金具にて取り付けることが可能である。
【産業上の利用可能性】
【００５１】
この発明は、被取付部の板厚に左右されずに、板厚毎の専用部品を必要とせず、１種類の取付金具で、多様な厚み違いの被取付部に対しても、リーダライタユニットを取り付けることができるので、木材合板や樹脂製などのパネルなどで装飾した自動販売機、あるいは防犯を目的として板厚を厚くした自動販売機等へ設置する、電子マネー処理装置等のリーダライタユニットに適している。
【符号の説明】
【００５２】
１    リーダライタユニット
１０    筐体
Ｏ    筐体外部
Ｉ    筐体内部
１１    取付穴（角穴）
２０    リーダライタユニット本体
２１    リーダライタユニット本体のＩＣカードかざし部
２１Ｓ  かざし部の外形より内側
２２    リーダライタユニット本体の凸部
２３    スリット
３０    ロックプレート
３１    ロックプレートの折り曲げ部
３２    ネジ取付部
３２Ｗ  ネジ取付部の凸部
３３    ロックプレート上部の縁
４０    ネジ
１１０    筐体
Ｏ’  筐体外部
Ｉ’  筐体内部
１１１    取付穴（角穴）
１１２    取付ステー
１２０    リーダライタユニット本体
１３０    取付板
１４０    ユニット固定ネジ
１５０    取付ステー固定ネジ
【図１】
2011128875.tif 000003
【図２】
2011128875.tif 000004
【図３】
2011128875.tif 000005
【図４】
2011128875.tif 000006
【図５】
2011128875.tif 000007
【図６】
2011128875.tif 000008
【図７】
2011128875.tif 000009
【図８】
2011128875.tif 000010
【図９】
2011128875.tif 000011
【図１０】
2011128875.tif 000012
【図１１】
2011128875.tif 000013
【図１２】
2011128875.tif 000014
【図１３】
2011128875.tif 000015
【図１４】
2011128875.tif 000016
【図１５】
2011128875.tif 000017
【図１６】
2011128875.tif 000018
【図１７】
2011128875.tif 000019
【図１８】
2011128875.tif 000020